【手続補正書】
【提出日】平成17年3月2日(2005.3.2)
【手続補正１】
【補正対象書類名】明細書
【補正対象項目名】発明の名称
【補正方法】変更
【補正の内容】
【発明の名称】無線通信システム、無線通信装置および方法、並びに、プログラム
【手続補正２】
【補正対象書類名】明細書
【補正対象項目名】特許請求の範囲
【補正方法】変更
【補正の内容】
【特許請求の範囲】
【請求項１】
TDD方式により、移動無線通信装置と固定無線通信装置とが、相互に無線通信する無線通信システムにおいて、
前記固定無線通信装置は、第１のTDDの周期を利用して、第１および第２の移動無線通信装置のそれぞれと相互に無線通信し、
前記第１の移動無線通信装置が、前記固定無線通信装置との通信に干渉を受ける場合、前記固定無線通信装置は、前記第１の移動無線通信装置に対して、前記第１のTDDの周期とは異なる第２の前記TDDの周期を設定し、
設定した前記第２のTDDの周期を利用して、前記第１の無線通信装置と相互に無線通信するとともに、前記第１のTDDの周期を利用して、前記第２の無線通信装置と相互に無線通信する
ことを特徴とする無線通信システム。
【請求項２】
TDD方式により、固定無線通信装置と相互に無線通信する移動無線通信装置において、
第１のTDDの周期を利用して、前記固定無線通信装置と相互に無線通信する通信手段と、
前記通信手段による通信が干渉を受けていることを検出する検出手段と、
前記検出手段により前記通信手段による通信が干渉を受けていることが検出された場合、これから利用するTDDの周期として、前記第１のTDDの周期とは異なるものを要求する要求情報を生成する生成手段と
を備え、
前記通信手段は、前記生成手段により生成された前記要求情報を、前記固定無線通信装置に送信し、送信した前記要求情報に基づいて、前記固定無線通信装置により設定された、前記第１のTDDの周期とは異なる第２のTDDの周期を利用して、前記固定無線通信装置と相互に無線通信する
ことを特徴とする移動無線通信装置。
【請求項３】
前記第１のTDDの周期は、下り方向に情報が伝送される下りリンク期間、および、上り方向に情報が伝送される上りリンク期間を含む所定のフレームに対応する周期である
ことを特徴とする請求項２に記載の移動無線通信装置。
【請求項４】
前記第２のTDDの周期は、連続する複数の前記フレームから構成されるフレーム群に対応する周期である
ことを特徴とする請求項３に記載の移動無線通信装置。
【請求項５】
前記通信手段は、前記フレーム群を構成する前記複数のフレームのうちの第１のフレームで、下り方向に情報を伝送し、第２のフレームで、上り方向に情報を伝送し、第３のフレームで、情報を伝送しない
ことを特徴とする請求項４に記載の移動無線通信装置。
【請求項６】
前記第３のフレームにおいて、前記固定無線通信装置とは異なる他の前記固定無線通信装置の存在を探索する探索手段をさらに備える
ことを特徴とする請求項５に記載の移動無線通信装置。
【請求項７】
前記フレーム群が４つ以上の前記フレームで構成される場合、前記フレーム群のうち、所定の１つが前記第２のフレームとされ、前記第２のフレームとは異なる所定の１つが前記第３のフレームとされ、かつ、前記第２および前記第３のフレームを除く、残りの前記フレームのそれぞれは、前記第１のフレームとされる
ことを特徴とする請求項５に記載の移動無線通信装置。
【請求項８】
前記フレーム群を構成する前記複数のフレームのそれぞれには、予め設定された所定の順番で、前記第１乃至前記第３のフレームが割り当てられる
ことを特徴とする請求項５に記載の移動無線通信装置。
【請求項９】
前記検出手段は、前記下りリンク期間におけるエラーレートに基づいて、前記干渉を受けていることを検出する
ことを特徴とする請求項５に記載の移動無線通信装置。
【請求項１０】
前記検出手段は、前記通信手段により他の移動無線通信装置により送信された信号が受信された場合、前記干渉を受けていることを検出する
ことを特徴とする請求項５に記載の移動無線通信装置。
【請求項１１】
前記検出手段は、前記通信手段により前記固定無線通信装置とは異なる他の固定無線通信装置により送信された信号が受信された場合、前記干渉を受けていることを検出する
ことを特徴とする請求項５に記載の移動無線通信装置。
【請求項１２】
前記検出手段により干渉を受けていることが検出された場合、干渉元の他の固定無線通信装置または他の移動無線通信装置に対して通信回線を開設する開設手段をさらに備え、
前記通信手段は、前記固定無線通信装置と無線通信を継続するとともに、前記開設手段により開設された前記通信回線を利用して、前記他の固定無線通信装置または前記他の移動無線通信装置と無線通信を開始する
ことを特徴とする請求項５に記載の移動無線通信装置。
【請求項１３】
前記下りリンク期間において、前記干渉が発生する周期を監視する監視手段と、
前記監視手段により監視された前記干渉が発生する周期に基づいて、他の移動無線通信装置により前記第２のTDDの周期が既に利用されているか否かを推定する推定手段と
をさらに備え、
前記生成手段は、前記推定手段により、前記他の移動無線通信装置により前記第２のTDDの周期が既に利用されていると推定された場合、さらに、前記干渉が発生するフレームを、前記第２または前記第３のフレームのうちのいずれか一方とすることを指定する指定情報を生成し、生成した前記指定情報を前記要求情報に含める
ことを特徴とする請求項９に記載の移動無線通信装置。
【請求項１４】
前記生成手段は、前記通信手段が前記干渉を受けるタイミングが、前記下りリンク期間の前半部である場合、前記第３のフレームを指定し、
前記通信手段が前記干渉を受けるタイミングが、前記下りリンク期間の後半部である場合、前記第２のフレームを指定する
ことを特徴とする請求項１３に記載の移動無線通信装置。
【請求項１５】
前記検出手段により前記干渉を受けることが検出された場合、干渉元の他の移動無線通信装置と前記通信手段を介して折衝を行い、その折衝の結果に基づいて、これから利用する前記TDDの周期として、前記第１のTDDの周期とは異なる前記第２のTDDの周期を決定する決定手段をさらに備え、
前記生成手段は、これから利用する前記TDDの周期として、前記決定手段により決定された前記第２のTDDの周期を要求する前記要求情報を生成する
ことを特徴とする請求項２に記載の移動無線通信装置。
【請求項１６】
前記決定手段は、前記他の移動無線通信装置が、前記通信手段が通信している前記固定無線通信装置同一の前記固定無線通信装置と無線通信している場合、前記第２のTDDの周期を決定することを禁止し、
前記通信手段は、前記第１のTDDの周期を引き続き利用して、前記固定無線通信装置と相互に無線通信する
ことを特徴とする請求項１５に記載の移動無線通信装置。
【請求項１７】
前記第１のTDDの周期は、所定のフレームに対応する周期であり、
前記第２のTDDの周期は、連続する所定の個数の前記フレームから構成されるフレーム群に対応する周期である
ことを特徴とする請求項１５に記載の移動無線通信装置。
【請求項１８】
前記通信手段は、前記フレーム群を構成する前記フレームのうちの所定の前記フレームでは、情報を伝送しない
ことを特徴とする請求項１７に記載の移動無線通信装置。
【請求項１９】
TDD方式により、固定無線通信装置と相互に無線通信する移動無線通信装置の無線通信方法において、
第１のTDDの周期を利用して、前記固定無線通信装置と相互に行われる無線通信を制御する第１の通信制御ステップと、
前記固定無線通信装置との通信が干渉を受けていることを検出する検出ステップと、
前記検出ステップの処理により前記固定無線通信装置との通信が干渉を受けていることが検出された場合、これから利用するTDDの周期として、前記第１のTDDの周期とは異なるものを要求する要求情報を生成する生成ステップと、
前記生成ステップの処理により生成された前記要求情報の、前記固定無線通信装置への送信を制御する第２の通信制御ステップと、
前記固定無線通信装置により、前記第２の通信制御ステップの処理により送信が制御された前記要求情報に対して設定された、前記第１のTDDの周期とは異なる第２のTDDの周期を利用して、前記固定無線通信装置との間で相互に行われる無線通信を制御する第３の無線通信制御ステップと
を含むことを特徴とする無線通信方法。
【請求項２０】
TDD方式により、固定無線通信装置と相互に無線通信する移動無線通信装置を制御するコンピュータに、
第１のTDDの周期を利用して、前記固定無線通信装置と相互に行われる無線通信を制御する第１の通信制御ステップと、
前記固定無線通信装置との通信が干渉を受けていることを検出する検出ステップと、
前記検出ステップの処理により前記固定無線通信装置との通信が干渉を受けていることが検出された場合、これから利用するTDDの周期として、前記第１のTDDの周期とは異なるものを要求する要求情報を生成する生成ステップと、
前記生成ステップの処理により生成された前記要求情報の、前記固定無線通信装置への送信を制御する第２の通信制御ステップと、
前記固定無線通信装置により、前記第２の通信制御ステップの処理により送信が制御された前記要求情報に対して設定された、前記第１のTDDの周期とは異なる第２のTDDの周期を利用して、前記固定無線通信装置との間で相互に行われる無線通信を制御する第３の無線通信制御ステップと
を実行させることを特徴とするプログラム。
【請求項２１】
TDD方式により、移動無線通信装置と相互に無線通信する固定無線通信装置において、
第１のTDDの周期を利用して、第１および第２の移動無線通信装置のそれぞれと相互に無線通信する通信手段と、
前記通信手段により、前記第１の移動無線通信装置から、これから利用するTDDの周期として、前記第１のTDDの周期とは異なるものを要求する要求情報が受信された場合、前記第１の移動無線通信装置との通信に対して、前記第１のTDDの周期とは異なる第２のTDDの周期を設定する設定手段と
を備え、
前記通信手段は、前記設定手段により設定された前記第２のTDDの周期を利用して、前記第１の移動無線通信装置と相互に無線通信するとともに、前記第１のTDDの周期を利用して、前記第２の無線通信装置と相互に無線通信する
ことを特徴とする固定無線通信装置。
【請求項２２】
TDD方式により、移動無線通信装置と相互に無線通信する固定無線通信装置の無線通信方法において、
第１のTDDの周期を利用して、第１および第２の移動無線通信装置のそれぞれと相互に行われる無線通信を制御する第１の通信制御ステップと、
前記第１の移動無線通信装置から、これから利用するTDDの周期として、前記第１のTDDの周期とは異なるものを要求する要求情報が受信された場合、前記第１の移動無線通信装置との通信に対して、前記第１のTDDの周期とは異なる第２のTDDの周期を設定する設定ステップと、
前記設定ステップの処理により設定された前記第２のTDDの周期を利用して、前記第１の移動無線通信装置と相互に行われる無線通信を制御するとともに、前記第１のTDDの周期を利用して、前記第２の無線通信装置と相互に行われる無線通信を制御する第２の通信制御ステップと
を含むことを特徴とする無線通信方法。
【請求項２３】
TDD方式により、移動無線通信装置と相互に無線通信する固定無線通信装置を制御するコンピュータに、
第１のTDDの周期を利用して、第１および第２の移動無線通信装置のそれぞれと相互に行われる無線通信を制御する第１の通信制御ステップと、
前記第１の移動無線通信装置から、これから利用するTDDの周期として、前記第１のTDDの周期とは異なるものを要求する要求情報が受信された場合、前記第１の移動無線通信装置との通信に対して、前記第１のTDDの周期とは異なる第２のTDDの周期を設定する設定ステップと、
前記設定ステップの処理により設定された前記第２のTDDの周期を利用して、前記第１の移動無線通信装置と相互に行われる無線通信を制御するとともに、前記第１のTDDの周期を利用して、前記第２の無線通信装置と相互に行われる無線通信を制御する第２の通信制御ステップと
を実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、無線通信システム、移動無線通信装置および方法、固定無線通信装置および方法、並びに、プログラムに関し、特に、同一チャネル干渉に起因するシステムパフォーマンスの劣化を低減させ、かつ、周波数利用効率のよい無線通信を行うことができるようにした無線通信システム、移動無線通信装置および方法、固定無線通信装置および方法、並びに、プログラムに関する。
【手続補正４】
【補正対象書類名】明細書
【補正対象項目名】００４０
【補正方法】削除
【補正の内容】
【手続補正５】
【補正対象書類名】明細書
【補正対象項目名】００４２
【補正方法】変更
【補正の内容】
【００４２】
本発明の移動無線通信装置および方法、並びに第１のプログラムにおいては、第１のTDDの周期が利用されて、固定無線通信装置と無線通信されている場合、固定無線通信装置との通信に干渉が生じると、これから利用するTDDの周期として、第１のTDDの周期とは異なるものを要求する要求情報が生成され、固定無線通信装置に送信される。固定無線通信装置により、その要求情報に対して設定された、第１のTDDの周期とは異なる第２のTDDの周期が利用されて、固定無線通信装置と相互に無線通信が行われる。
【手続補正６】
【補正対象書類名】明細書
【補正対象項目名】００４５
【補正方法】削除
【補正の内容】
【手続補正７】
【補正対象書類名】明細書
【補正対象項目名】００４６
【補正方法】削除
【補正の内容】
【手続補正８】
【補正対象書類名】明細書
【補正対象項目名】００４７
【補正方法】削除
【補正の内容】
【手続補正９】
【補正対象書類名】明細書
【補正対象項目名】００４８
【補正方法】削除
【補正の内容】
【手続補正１０】
【補正対象書類名】明細書
【補正対象項目名】００４９
【補正方法】削除
【補正の内容】
【手続補正１１】
【補正対象書類名】明細書
【補正対象項目名】００５０
【補正方法】削除
【補正の内容】
【手続補正１２】
【補正対象書類名】明細書
【補正対象項目名】００５２
【補正方法】削除
【補正の内容】
【手続補正１３】
【補正対象書類名】明細書
【補正対象項目名】００５４
【補正方法】変更
【補正の内容】
【００５４】
本発明の固定無線通信装置および方法、並びに、第２のプログラムにおいては、第１のTDDの周期を利用して、第１および第２の移動無線通信装置のそれぞれと相互に無線通信が行われている場合、第１の移動無線通信装置から、これから利用するTDDの周期として、第１のTDDの周期とは異なるものを要求する要求情報が受信されると、第１の移動無線通信装置との通信に対して、第１のTDDの周期とは異なる第２のTDDの周期が設定され、設定された第２のTDDの周期で、第１の移動無線通信装置と相互に無線通信されるとともに、元の第１のTDDの周期で、第２の無線通信装置と引き続き相互に無線通信される。